(57)【要約】【課題】  棒状ヒータを十分な保持力によって支持固定し、ガラスパイプの端部の破損及びガタつきを防止すると共に、組立性を高めたものである。【解決手段】  ケース内の上下部に支持板を設け、ガラスパイプ内にヒータコイルを封入した棒状ヒータ６の端部を支持板に挿通して固定金具１３と弾性線条体２２により支持固定するものにおいて、棒状ヒータを固定金具の切欠部１６に嵌め込み弾性線条体の両端を固定金具に設けた係止部２０、２０のそれぞれに掛止して弾性線条体の弾性により棒状ヒータの端部を支持固定するものである。【選択図】        図1
2005030711.tif 000002
【特許請求の範囲】
【請求項１】
箱型のケースと、このケース内の上下部に設けた支持板と、この支持板に端部を貫通して鉛直方向に固定したガラスパイプ内にヒータコイルを封入した棒状ヒータと、この棒状ヒータの端部を支持する固定金具とを備え、前記固定金具は、棒状ヒータの端部を収納する切欠部と少なくとも２つの係止部を設け、一方前記係止部に係止する弾性線条体を設け、前記棒状ヒータの端部を切欠部に収納した状態で弾性線条体の両端をそれぞれの係止部に係止し、弾性線条体の弾性により棒状ヒータの端部を支持することを特徴とする電気ストーブのヒータ端部固定装置。
【請求項２】
前記切欠部は、平面形状がほぼ∪字状であって開口部とは反対の奥側の端縁に折曲片を一体成形したことを特徴とする請求項１に記載の電気ストーブの端部固定装置。
【請求項３】
前記棒状ヒータは、端部を碍子により絶縁したものであって、前記切欠部の対向する端縁には、ガラスパイプの対向する側壁に設けた少なくとも一対の側条壁間に介在する突出片を折曲げ一体成形したことを特徴とする請求項１に記載の電気ストーブの端部固定装置。
【請求項４】
前記弾性線条体は、ガラスパイプの側条壁を押圧支持することを特徴とする請求項２に記載の電気ストーブの端部固定装置。
【発明の詳細な説明】
【技術分野】
【０００１】
本発明は、ヒータコイルをガラスパイプ内に封入した棒状ヒータの端部固定装置に関する。
【背景技術】
【０００２】
所謂ハロゲンヒータと呼ばれる棒状ヒータは、ガラスパイプ内にヒータコイルと不活性ガスを封入し両端部を融着して密封したものであり、投入電力の８５％以上が赤外線に変換され高効率、光エネルギーを利用していることから熱の取り回しが自由、小型軽量で設置した本体形状をコンパクトにできる、熱容量の小さいフィラメントを熱源としているため熱エネルギーの立ち上がり、立下りが速い、ハロゲンサイクルの働きで長寿命と多くの特徴を備えている。（例えば特許文献１参照）
又、この棒状ヒータは電気ストーブ本体の形状に合わせて垂直（鉛直）方向に固定、或は水平方向に固定するようになされ、両端部を金具や碍子を用いて金属製の取付板に固定している。
【特許文献１】特開２００３−７４３７号公報（図１）
【発明の開示】
【発明が解決しようとする課題】
【０００３】
ところが、ガラスパイプはその性質上、破損しやすいため、例えばネジを用いて座板等を締め付け固定する際には締め付け力が強ければガラスパイプが破損する欠点がある。さりとて、破損を防止するために締め付け力を弱くすると十分な固定ができずヒータコイルに大きなガタつきを生じ寿命を短くする原因や振動を生じる要因となって結局はそれがガラスパイプを破損する誘因ともなった。
【０００４】
本発明は、棒状ヒータを十分な保持力により固定し、且つガラスパイプの破損を防止したものである。
【課題を解決するための手段】
【０００５】
本発明は、箱型のケースと、このケース内の上下部に設けた支持板と、この支持板に端部を貫通して鉛直方向に固定したガラスパイプ内にヒータコイルを封入した棒状ヒータと、この棒状ヒータの端部を支持する固定金具とを備え、前記固定金具は、棒状ヒータの端部を収納する切欠部と少なくとも２つの係止部を設け、一方前記係止部に係止する弾性線条体を設け、前記棒状ヒータの端部を切欠部に収納した状態で弾性線条体の両端をそれぞれの係止部に係止し弾性線条体の弾性により棒状ヒータの端部を支持するものである。
【０００６】
また、前記切欠部は、平面形状が∪字状であって開口部とは反対の奥側の端縁に折曲片を一体成形したものである。
【０００７】
そして、前記棒状ヒータは、端部を碍子により絶縁したものであって、前記切欠部の対向する端縁には、ガラスパイプの対向する側壁に設けた少なくとも一対の側条壁間に介在する突出片を折曲げ一体成形したものである。
【０００８】
さらに、前記弾性線条体は、ガラスパイプの側条壁を押圧支持するものである。
【発明の効果】
【０００９】
本発明は、ガラスパイプよりなる棒状ヒータと、この棒状ヒータの端部を収納する切欠部及び２つの係止部を設けた固定金具と、係止部に係止する弾性線条体を有し、棒状ヒータの端部を弾性線条体により弾性支持するものであるから、棒状ヒータの端部を座板によってネジ固定するようなガラスパイプの破損がなくなる。特に弾性線条体の弾性がほど良くガラスパイプの端部を押さえ付けることができ、クッション作用を有して振動や衝撃にも耐え得るものとなる。
【００１０】
また、固定金具の切欠部は、棒状ヒータの端部をスムースに嵌め込むほぼ∪字状とし奥側の端縁に折曲片を設けたため、棒状ヒータの端部は折曲片に当たることになり鋭利な端縁と違ってガラスパイプへの傷付けがなく端部の損傷を未然に防止する。
【００１１】
そして、棒状ヒータは、端部を碍子により絶縁し、切欠部の端縁に設けた突出片をガラスパイプの側壁の側条壁間に介在したものであるから、この突出片はガラスパイプ（棒状ヒータ）の回り止めを行って棒状ヒータを定位置に保持することができる。
【００１２】
さらに、弾性線条体は、ガラスパイプの側条壁を押圧支持するものであるから、この側条壁は厚みを有しており十分な強度があるため弾性線条体が弾接してもガラスパイプが破損することがない。即ち、側条壁は棒状ヒータの回り止めの効果と弾性線条体の弾性部として作用する。
【発明を実施するための最良の形態】
【００１３】
本発明の実施例を図面に基づいて説明する。図１は本発明の電気ストーブの端部固定装置の要部拡大外観斜視図、図２は同じく全体側面断面図、図３は同じく部分斜視図、図４は同じく要部分解斜視図である。
【００１４】
（１）は縦長で箱型のケース、（２）、（３）は前記ケース内の上下部に水平方向に固定しそれぞれに挿通孔（４）を穿設した支持板、（５）は前記支持板（２）、（３）間に介装し水平断面形状が∪字形の反射板、（６）は上下両端部を前記挿通孔（４）に挿通して後述する固定金具、弾性線条体により支持固定する棒状ヒータで、垂直（鉛直）方向に配設されており、詳図していないが、水平断面形状が円形のガラスパイプ（７）と、このパイプ内に封入したヒータコイルと、上下端部を絶縁する碍子（８）、（９）とから構成している。
【００１５】
前記ガラスパイプ（７）の上下両端部は、図１及び図４に示す様に対向する両側壁に上下方向に並行に延びる一対の側条壁（１０）、（１０）を一体成形しており、この側条壁の上部を碍子（８）、（９）の凹部（１１）、（１１）に嵌め込み接着固定している。（１２）、（１２）は前記碍子から導出したリード線である。
【００１６】
（１３）、（１４）は前述した上部の支持板（２）の上面と下部の支持板（１４）の下面に支持板の舟（１５）（１５）…を折り曲げて固定したサドル状の固定金具で、図４に示す様に、∪形の切欠部（１６）と、この切欠部の開口部（１７）とは反対の奥側の端縁を上方に折曲した折曲片（１８）と、切欠部（１６）の対向する端縁のそれぞれに上方に折り曲げは一対の突出片（１９）、（１９）と、前記切欠部（１６）を跨り上方に折曲した一対の係止部（２０）、（２０）を一体成形している。
【００１７】
前記係止部にはそれぞれが同方向に開口した係止溝（２１）、（２１）を設けている。（２２）は前記係止溝（２１）、（２１）に係止する弓形の弾性線条体で、両端を異方向に折曲して外れ止め構造としている。
【００１８】
（２３）は前記棒状ヒータ（６）及び反射板（５）の前側に取り付けた線材ガード、（２４）は前記ケース（１）の下部に取り付けたスタンドである。
【００１９】
次に棒状ヒータ（６）の固定順序について述べる。始めに、棒状ヒータ（６）の下方の端部を下方の支持板（１４）の挿通孔に挿通して端部を下方の固定金具（１４）と弾性線条体により固定する。この具体的な固定順序は上方の端部の固定と同じであり次に説明する。
【００２０】
棒状ヒータ（６）の上方の端部を上方の支持板（２）の 挿通孔（４）に挿通し、その端部を固定金具（１３）の切欠部（１６）に嵌め込み、一方の側条壁（１０）を折曲片（１８）に当てると自動的に突出片（１９）、（１９）が側条壁（１０）、（１０）間に介在する。
【００２１】
その後、弾性線条体（２２）の一端を一方の係止部（２０）の係止溝（２１）に掛止し、その中間辺りを他方の突条壁（１０）に当てながら弾性線条体を変形させ他端を他方の係止部（２０）の係止溝（２１）に掛止する。
【００２２】
この時、ガラスパイプ（７）の全体は固定金具（２）、（３）の切欠部（１６）の奥側に押しやられ折曲片（１８）に当って静止すると共に、突出片（１９）、（１９）の先端は碍子（８）、（９）の端面と対峙しており、棒状ヒータ（６）の下方向の移動は棒状ヒータ（６）の上方の端部の碍子（８）と上方の固定金具（１３）の突出片（１９）、（１９）との当接により、棒状ヒータ（６）の上方向の移動は棒状ヒータ（６）の下方の端部の碍子（９）と下方の固定金具（１４）の突出片の当接により規制される。
【００２３】
尚、本発明の実施例では、切欠部の形状をＵ字形にしたが、台形状、角形状のものであってもよい。
【図面の簡単な説明】
【００２４】
【図１】本発明の電気ストーブの端部固定装置の要部拡大外観斜視図である。
【図２】同じく全体側面断面図である。
【図３】同じく部分斜視図である。
【図４】同じく要部分解斜視図である。
【符号の説明】
【００２５】
１  ケース
２  支持板
３  支持板
４  挿通孔
６  棒状ヒータ
７  ガラスパイプ
８  碍子
９  碍子
１０  側条壁
１３  固定金具
１４  固定金具
１６  切欠部
１７  開口部
１８  折曲片
１９  突出片
２０  係止部
２２  弾性線条体
【図１】
2005030711.tif 000003
【図２】
2005030711.tif 000004
【図３】
2005030711.tif 000005
【図４】
2005030711.tif 000006